(57)【要約】  複数のモノフィラメント、または、モノフィラメントおよび垂直な方向に配向するマルチフィラメント糸の組合せを含む基材には、中央の空間の周りに巻きつく傾向がある。あらゆるモノフィラメントが使用される場合、一方向に沿ったモノフィラメントの直径は、他方向に沿ったモノフィラメントの直径よりも大きくてもよい。より大きい直径のモノフィラメントが主に基材の一方の面にフロートを形成するように、モノフィラメントが製織される。モノフィラメント−マルチフィラメントの組合せとしては、モノフィラメントが主に基材の一方の面にフロートを形成する。フロートを形成するモノフィラメントに平行な軸を中心に基材が巻きつく。フロートを有する面が、中央の空間から離れて外側に向く。好ましくは、モノフィラメントが基材に沿ってたて方向に配向する。フロートを備えるために、フィラメントが、ヘリンボン斜文織、２重織のヘリンボン斜文織または朱子織で製織されてもよい。
2008507636.tif 000002
【特許請求の範囲】
【請求項１】
複数のモノフィラメントおよびマルチフィラメント糸から製織される基材を備える自己巻きつき式スリーブであって、
前記モノフィラメントが第１の方向に沿って配向され、かつ前記マルチフィラメント糸が前記第１の方向に対してほぼ垂直な第２の方向に沿って配向され、
前記モノフィラメントが主に前記基材の一方の面にフロートを形成するように、前記モノフィラメントおよび前記マルチフィラメント糸が製織され、
前記基材が前記モノフィラメントに平行な軸を中心に巻きついて中央の空間を画定し取り囲み、
前記フロートを有する前記一方の面が前記中央の空間から離れて外側に向く、
自己巻きつき式スリーブ。
【請求項２】
前記モノフィラメントが前記基材に沿ってたて方向に配向されることを特徴とする、請求項１に記載の自己巻きつき式スリーブ。
【請求項３】
前記モノフィラメントおよび前記マルチフィラメント糸がヘリンボン斜文織で製織されることを特徴とする、請求項１に記載の自己巻きつき式スリーブ。
【請求項４】
前記モノフィラメントおよび前記マルチフィラメント糸が２重織のヘリンボン斜文織で製織されることを特徴とする、請求項３に記載の自己巻きつき式スリーブ。
【請求項５】
前記モノフィラメントおよび前記マルチフィラメント糸が朱子織で製織されることを特徴とする、請求項１に記載の自己巻きつき式のスリーブ。
【請求項６】
複数のモノフィラメントのたて部材およびマルチフィラメントのよこ糸から製織される基材を備える自己巻きつき式スリーブであって、
前記たて部材がたて方向に沿って配向され、かつ前記よこ糸がよこ方向に沿って配向され、
前記たて部材およびよこ糸がヘリンボン斜文織で製織され、前記たて部材が前記基材の一方の面にフロートを形成することを特徴とし、
前記たて方向に平行な軸を中心として前記基材が巻きつき、中央の空間を画定して取り囲み、
前記フロートを有する前記一方の面が前記中央の空間から離れて外側に向く、
自己巻きつき式スリーブ。
【請求項７】
複数のモノフィラメントのたて部材およびマルチフィラメントのよこ糸から製織される基材を備える自己巻きつき式スリーブであって、
前記たて部材がたて方向に沿って配向され、かつ前記よこ糸がよこ方向に沿って配向され、
前記たて部材およびよこ糸が朱子織で製織され、前記たて部材が前記基材の一方の面にフロートを形成することを特徴とし、
前記たて方向に平行な軸を中心として前記基材が巻きつき、中央の空間を画定して取り囲み、
前記フロートを有する前記一方の面が前記中央の空間から離れて外側に向く、
自己巻きつき式スリーブ。
【請求項８】
複数のモノフィラメントのたて部材およびマルチフィラメントのよこ糸から製織される基材を備える自己巻きつき式スリーブであって、
前記たて部材がたて方向に沿って配向され、かつ前記よこ糸がよこ方向に沿って配向さ
れ、
前記たて部材およびよこ糸が２重織のヘリンボン斜文織で製織され、前記たて部材が前記基材の一方の面にフロートを形成することを特徴とし、
前記たて方向に平行な軸を中心として前記基材が巻きつき、中央の空間を画定して取り囲み、
前記フロートを有する前記一方の面が前記中央の空間から離れて外側に向く、
自己巻きつき式スリーブ。
【請求項９】
第１の直径を有する複数の第１のモノフィラメント、および、第２の直径を有する複数の第２のモノフィラメントから製織される基材を備える自己巻きつき式スリーブであって、
前記第１のモノフィラメントが第１の方向に沿って配向され、前記第２のモノフィラメントが前記第１の方向に対してほぼ垂直な第２の方向に沿って配向され、
前記第１のモノフィラメントが主に前記基材の一方の面にフロートを形成するように、前記第１および第２のモノフィラメントが製織され、
前記第１のモノフィラメントに平行な軸を中心に前記基材が巻きつき、中央の空間を画定して取り囲み、
前記フロートを有する前記一方の面が、前記中央の空間から離れて外側に向く、
自己巻きつき式スリーブ。
【請求項１０】
前記第１のモノフィラメントが前記第２のモノフィラメントよりも大きな弾性係数を有することを特徴とする、請求項９に記載の自己巻きつき式スリーブ。
【請求項１１】
前記第１のモノフィラメントが前記基材に沿ってたて方向に配向されることを特徴とし、かつ、前記第１のモノフィラメントが前記第２のモノフィラメントよりも大きな直径を有することを特徴とする、請求項９に記載の自己巻きつき式スリーブ。
【請求項１２】
前記第１のモノフィラメントが前記基材に沿ってたて方向に配向されることを特徴とし、かつ、前記第１および第２のモノフィラメントがヘリンボン斜文織で製織されることを特徴とする、請求項９に記載の自己巻きつき式スリーブ。
【請求項１３】
前記第１および第２のモノフィラメントが２重織のヘリンボン斜文織で製織されることを特徴とする、請求項１２に記載の自己巻きつき式スリーブ。
【請求項１４】
前記第１および第２のモノフィラメントが朱子織で製織されることを特徴とする、請求項９に記載の自己巻きつき式スリーブ。
【請求項１５】
複数の第１の部材および複数の第２の部材から製織される基材を備える自己巻きつき式スリーブであって、
前記第１の部材が第１の方向に沿って配向され、前記第２の部材が前記第１の方向に対してほぼ垂直な第２の方向に沿って配向され、
前記第１の部材が主に前記基材の一方の面にフロートを形成するように、前記第１および第２の部材が製織され、
前記基材が軸を中心に巻きついて中央の空間を画定し取り囲み、
前記フロートを有する前記一方の面が、前記中央の空間から離れて外側に向く、
自己巻きつき式スリーブ。
【請求項１６】
各前記第１の部材が各前記第２部材よりも剛性であることを特徴とする、請求項１５に記載の自己巻きつき式スリーブ。
【請求項１７】
各前記第２部材が各前記第１の部材よりも剛性であることを特徴とする、請求項１５に記載の自己巻きつき式スリーブ。
【請求項１８】
各たて部材がそれぞれの交錯位置で各よこ部材の上を交差することを特徴とし、かつ、複数の交錯位置が、基材のたて方向およびよこ方向の両方に対して斜めに走るように配置されることを特徴とする、請求項１５に記載の自己巻きつき式スリーブ。
【請求項１９】
複数の交錯位置がほぼ平行な線に配置されることを特徴とする、請求項１５に記載の自己巻きつき式スリーブ。
【請求項２０】
各たて要素および各よこ要素が、軸に対して鋭角を成して配向されることを特徴とする、請求項１５に記載の自己巻きつき式スリーブ。
【請求項２１】
基材が軸の周囲で巻きつき、らせん状のものとなることを特徴とする、請求項１５に記載の自己巻きつき式スリーブ。
【請求項２２】
各前記複数の第１の部材がモノフィラメントを備えることを特徴とし、かつ、各前記複数の第２の部材がモノフィラメントを備えることを特徴とする、請求項１５に記載の自己巻きつき式スリーブ。
【請求項２３】
前記各前記複数の第１の部材が第１の直径を有し、各前記複数の第２の部材が第２の直径を有し、前記第１の直径が第２の直径よりも大きいことを特徴とする、請求項２２に記載の自己巻きつき式スリーブ。
【請求項２４】
前記各前記複数の第１の部材が、各前記複数の第２の部材よりも大きな弾性係数を有することを特徴とする、請求項２２に記載の自己巻きつき式スリーブ。
【請求項２５】
各前記複数の第１の部材がモノフィラメントを備えることを特徴とし、かつ、各前記複数の第２の部材がマルチフィラメント糸を備えることを特徴とする、請求項１５に記載の自己巻きつき式のスリーブ。
【請求項２６】
第１の面の反対側の第２の面に対して第１の面の力の不均衡を有する基材を備える自己巻きつき式スリーブであって、前記力の不均衡によって軸を中心に前記基材が巻きつき、中央の空間を画定して取り囲む、自己巻きつき式スリーブ。
【請求項２７】
前記基材がたて編みの部材から成ることを特徴とする、請求項２６に記載の自己巻きつき式スリーブであって、前記スリーブが基材をたて編みする間に挿入される複数のよこ糸のフィラメントをさらに備える、自己巻きつき式スリーブ。
【請求項２８】
複数のモノフィラメントと組み合わされたマルチフィラメント糸を備える基材であって、前記マルチフィラメント糸および前記複数のモノフィラメントが組み合わされて、基材が巻きつく原因となる引張力における不均衡が生じる基材を備える、自己巻きつき式スリーブ。
【請求項２９】
前記マルチフィラメント糸が編まれて、たておよびよこの縫い目を形成することを特徴とし、かつ、前記複数のモノフィラメントがよこに挿入されることによって前記縫い目の間に挿入されることを特徴とする、請求項２８に記載の自己巻きつき式スリーブ。
【請求項３０】
引張力における前記不均衡が、前記モノフィラメントにおける引張力によって生じることを特徴とする、請求項２９に記載の自己巻きつき式スリーブ。
【発明の詳細な説明】
【技術分野】
【０００１】
発明の技術分野
本発明は、ワイヤハーネスなどの長尺状のアイテムを収容して保護するためのスリーブに関する。
【背景技術】
【０００２】
発明の背景
保護スリーブは、ワイヤハーネスおよび光ファイバーケーブル等の長尺状のアイテムを組織化して保護するために、自動車産業、船舶産業、および航空宇宙産業にわたって使用される。スリーブは長尺状のアイテムを取り囲み、切断、摩滅、放射熱、振動による摩耗、および他の厳しい環境の脅威から保護するものである。保護スリーブ内に配置される場合、ワイヤまたはケーブルはまた、整った束で互いに保持され、多数の異なるアイテムを組立部品のように扱うことが可能となり、したがって、このアイテムを製品へ組込む間の時間および労力を節約することができる。
【０００３】
フィラメントを基板に製織し、ついで、管状の形に弾性的に基板にバイアスして長尺状のアイテムを収容するための中央の空間を画定することによって、保護スリーブを作製してもよい。基材の作製に使用する糸のタイプに適切な多様な手段によって、バイアスが行われてもよい。基材が円筒形マンドレルの周りに巻きつけられる場合に、ポリマーフィラメントを加熱することによってポリマーフィラメントがバイアスされてもよく、このフィラメントはマンドレルの形状に一致する永久変形を受ける。冷間加工と同様に化学的手段によって、フィラメントが湾曲形状に弾性的にバイアスされることもできる。
【０００４】
基材が管状の形状にバイアスされる場合、一般に、モノフィラメントはチューブの「輪」または円周方向に配向する。モノフィラメントは、優れた剛性を備え、強力に弾性的にバイアスする。このバイアスによって、管状の形状の基材を保持し、スリーブが長尺状のアイテムを挿入するかまたは除去するように操作される場合に生じるような歪曲する力がないと、基材をこの形状に復元しようとする。
【発明の開示】
【発明が解決しようとする課題】
【０００５】
管状の形状にバイアスされるスリーブと関連付けられる重要な問題点とは、スリーブを作製する過程における別々の段階によってバイアスが行われることである。スリーブを備えるフィラメントは、製織する前に冷間加工によってバイアスされてもよく、または、マンドレルの周りに巻きつけられる場合には、製織された後で基材を加熱することによってバイアスされてもよい。しかし、これらの処置は、スリーブを作成するために必要とされるコストおよび時間が増大する別々の段階となるものである。有利となるであろうことは、自己巻きつき式であり、フィラメントを管状の形状に弾性にバイアスする別々の段階を必要としない基材から形成されるスリーブを提供することである。
【課題を解決するための手段】
【０００６】
発明の概要
本発明は、長尺状のアイテムを収容して保護するための自己巻きつき式のスリーブに関する。このスリーブは、複数のモノフィラメント、または、モノフィラメントおよびマルチフィラメント糸の組合せから製織された基材を備える。あらゆるモノフィラメントが使用される場合、一方向に沿ったモノフィラメントの直径は、他方向に沿ったモノフィラメントの直径よりも大きくてもよい。組合せの実施形態として、モノフィラメントが第１の
方向に沿って配向し、マルチフィラメント糸が第１の方向に対してほぼ垂直な第２の方向に沿って配向する。より大きい直径のモノフィラメントが主に基材の一方の面にフロートを形成するように、モノフィラメントが製織される。モノフィラメント−マルチフィラメントの組合せとしては、モノフィラメントが主に基材の一方の面にフロートを形成する。フロートを形成するモノフィラメントに平行な軸を中心に基材が巻きつき、中央の空間を画定して取り囲む。フロートを有する面が、中央の空間から離れて外側に向く。特定の実施形態において、長手方向のフロートが外側に向き、水平方向のフロートが内側に向く。
【０００７】
比較的大きな剛性のフィラメントが好ましくはたて方向に配置され、比較的小さな剛性のフィラメントが好ましくはよこ方向に配置される。好ましくは、モノフィラメント糸が基材に沿ってたて方向に配向する。モノフィラメントおよびマルチフィラメントの組合せとしては、モノフィラメントが好ましくはたて方向に配向される。
【０００８】
フロートを備えるために、フィラメントが、ヘリンボン斜文織、２重織のヘリンボン斜文織または朱子織で製織されてもよい。
【発明を実施するための最良の形態】
【０００９】
以下の図面を参照しつつ、本発明を一例として説明する。
詳細な説明
図１は、本発明による自己巻きつき式のスリーブ１０を示す。スリーブ１０は、複数のモノフィラメント１４およびマルチフィラメント糸１６から製織される基材１２を備える。モノフィラメント１４が、矢印１８によって示す第１の方向に配向し、マルチフィラメント糸１６が、第１の方向に対してほぼ垂直であり矢印２０によって示す第２の方向に配向する。好ましくは、モノフィラメント１４が基材のたて方向に配向し、マルチフィラメント糸がよこ方向に配向し、織りの「よこ糸」または「ピック」を構成する。
【００１０】
基材１２を製織するための好ましい織目は、斜文織および朱子織等の、主に基材の一方の面に「フロート」を形成する織目である。図２に示すように、「フロート」２２が形成されるのは、モノフィラメント１４等のフィラメントまたは糸が、たとえばよこ糸１６等のフィラメントまたは糸に垂直に配向する１つ以上のフィラメントまたは糸の上を交錯する場合である。図２に示すように、基材の表面でたて糸のフロートを優位に製織される場合、この基材は「たておもて」と呼ばれる。よこ糸フロート２４が織物の表面で優位を占める「よこおもて」の基材は、図３に示されている。
【００１１】
図１に示すように、基材１２が、たておもてかよこおもてかに関係なく、たて方向のモノフィラメント１４、および、よこ方向のマルチフィラメント糸１６で製織される場合には、モノフィラメント１４にほぼ平行な軸２６を中心に巻きつくという顕著な傾向を示す。巻きつきの方向は、フロート２２を有する表面から離れている。すなわち、モノフィラメント１４によって形成されたフロート２２がスリーブ１０の外表面２８になるものの上にあるように、基材１２が軸２６を中心として自然と巻きつく。巻きつくとすぐに、基材１２が管状の形状を帯び、長尺状のアイテムを収容するための中央の空間３０を画定する。
【００１２】
この例示的な基材１２が巻きつく理由は、少なくとも２つの要因から生じると考えられる。第一に、比較的硬い部材（たとえばモノフィラメント１４）がたて方向に配向するとともに、より可撓性があり柔軟な部材（たとえばマルチフィラメント糸１６）がよこ方向に配向する。したがって、たて方向の繊維部材がよこ方向の繊維部材よりも大きなはりの強度（ｂｅａｍ  ｓｔｒｅｎｇｔｈ）を有する場合に、スリーブが自己巻きつき式となることがわかっている。
【００１３】
図１の実施形態を参照する。たて方向のモノフィラメントが長手方向軸２６に沿って基材１２を強化し、スリーブ１０に剛性を与えて曲げに抵抗する。対照的に、よこ方向に配向するより可撓性のあるマルチフィラメント糸１６が、柔軟で容易に曲がり、マルチフィラメントのよこ糸１６のための曲げ軸である軸２６を中心として基材１２が巻きつくことが可能となる。約２００から約２０００のデニールを有するマルチフィラメント糸が適している。
【００１４】
基材が巻きつく原因となる第２の要因は、基材が巻きつくようになる力を発生させると考えられるフロート２２に関連がある。上述の様に、基材１２がフロート２２を有する表面２８から離れて巻きつく。一方の表面ではフロート２２が優位を占めるという点で、一方の表面が他方の表面と異なる意味において、基材１２は不均衡である。このように表面が不均衡であることによって、基材の全体にわたって内部応力が起こり、この内部応力は軸２６を中心として基材の湾曲部に累積的に現れる。
【００１５】
さらに考えられることは、ヘリンボン斜文織において明らかな、反復するシェブロンパターンが巻きつけの強度を大きくする。それは、たておもて、および、よこおもてのヘリンボン斜文織の模様で製織された基材が、朱子織から形成される基材よりも強く巻きつく傾向を示すことが認められるためである。朱子織がフロートを有するにもかかわらず、フロートは、ヘリンボン斜文織と関連付けられるシェブロンパターンを示さず、ヘリンボン斜文織の基材と同じ程度の巻きつく傾向を表さない。
【００１６】
図４から図１０は、たて部材がモノフィラメント１４を備え、よこ部材がマルチフィラメント糸１６を備える場合に巻きつく基材を形成する多様な織目を示す。実際の製織された基材を明確に図示することが困難であるので、マトリックスを使用して、織目を好ましくは略図で示す。マトリックスは反復する織目を表す。マトリックスの段がたて部材を表し、列がよこ糸またはよこ部材を表す。マトリックスの各正方形は、織機の上で製織されるような布の上表面に現れる部材を表す。正方形における「Ｘ」は、対応するたて部材が対応するよこ糸またはよこ部材の上で交差する、交錯位置を表す。上表面が必ずしもスリーブ１０の外表面であるというわけではないのは、どちら側でフロートが優位を占めるかによって決定されるからである。
【００１７】
図４および図５は、単純なヘリンボン斜文織の模様を表し、図４はよこおもてであり、図５はたておもてである。これらの織目の両方ともが、たて軸を中心として巻きつく比較的強力な傾向のある基材を作成する。
【００１８】
図６および図７は、より複雑なヘリンボンであり、これらは図４および図５と、段４および段８で異なる。反復する模様の頻度がより大きくなるのと同様に、４つの追加のたて糸の交錯部がよこおもての模様として表面にあり（図６）、または、たておもての模様として２つの追加のよこ糸の交錯部がある（図７）。この模様で製織された基材は、図４および図５の単純なヘリンボンの模様よりも巻きつくのが弱い傾向を示しがちである。
【００１９】
図８は朱子織を示す。この模様から製織される基材は、図６および図７の複雑なヘリンボンの模様よりも巻きつくのが弱い傾向を示す。ヘリンボンのシェブロンパターンの特徴は、図８に示す朱子織にはほとんどないことに注意されたい。
【００２０】
明らかに、巻きつきの最も強い傾向は、図９に示すヘリンボンの２重織の模様によって製織される基材において一目瞭然である。２重織は、それ自体がたて糸およびよこ糸をそれぞれ備える表生地および裏生地が、製織される間に組み合わせられる複合生地である。上述のシェブロンパターンが、２重織の織り方を示す図９において容易に視認できないにもかかわらず、図１０のように２重織を備える生地として示される場合には、生地のシェ
ブロンパターンは明らかに一目瞭然である。
【００２１】
モノフィラメントおよびマルチフィラメント糸のための好ましい材料は、ポリエステル、ポリプロピレン等の合成ポリマー、ケブラー（ＫＥＶＬＡＲ）等のアラミド、およびナイロンを含む。また、好ましくはたて糸のモノフィラメントのために、ステンレス鋼、ニチノール、エルジロイ、または高い降伏応力を有する他の弾性金属等の材料を使用することが適している。
【００２２】
本発明による自己巻きつき式の基材は、別々のバイアス段階を必要とすることなく管状の形状をとるスリーブを提供する。このようなスリーブが、長尺状のアイテムをシースで覆うのに使用されてもよく、アイテムを中央の空間内に含むために、それらを固有に弾性的にバイアスすることに依存してもよく、または、テープ等の閉止手段がスリーブをさらに固定するための包みとして使用されてもよい。スリーブは、締めひも、面ファスナー、ボタン、ジッパー、その他基材にスリーブを簡単に付け加えて取りはずすことが出来るようなもの等、他の閉止手段を装備してもよい。
【００２３】
本発明による自己巻きつき式のスリーブ３２の別の実施形態を図１１に示す。自己巻きつき式のスリーブ３２は、たて方向１８に延びるモノフィラメント３４およびよこ方向２０に延びるモノフィラメント３６から製織される基材１２を備える。
【００２４】
モノフィラメントおよびマルチフィラメント糸の両方を有する前述の実施形態として説明されるように、基材の表面間に不均衡が生じる斜文織または朱子織の模様を用いることによって、基材１２は軸２６を中心として巻きつくことができるようになる。さらにまた、たておもて、またはよこおもての基材が有利である。
【００２５】
基材１２を備えるモノフィラメント３４および３６を適切に選択することによって、巻きつきの強度および程度をさらに増大することが可能である。たとえば、たて方向１８に配向する場合に軸２６を中心とする巻きつきを起こすかまたは増大するのに、たて方向１８に平行に配向するモノフィラメント３４が選択される。このモノフィラメント３４は、よこ方向２０に配向するモノフィラメント３６よりも直径が大きい。より大きな直径のモノフィラメント３４はより小さな直径のモノフィラメント３６よりも大きな面積慣性モーメントを有し、同じ弾性係数を有しているフィラメントとして、より大きな曲げ剛度を有する。より硬さの少ないモノフィラメント３６がより容易に曲がり、したがって、フロートによって生じる不均衡のために、基材が軸２６の周囲に巻きつくことが可能となる。直径が約０．００１インチから約０．０２０インチの間であるモノフィラメントが、本発明による自己巻きつき式のスリーブを形成するための実用的なフィラメントを提供する。強力な巻きつき力を示す実用的な例が挙げられている。いくつかの例は、ポリフェニレンサルファイド（ＰＰＳ）でできているたて糸のモノフィラメントを備え、直径が約０．０１０インチの基材を含み、直径が約０．００８インチの二重の（並んだ）ＰＰＳのよこ糸のモノフィラメントで製織される。別の例において、直径が約０．０１０インチのポリエステルのたて糸のモノフィラメントが、直径が約０．００６インチのポリエステルのよこ糸のモノフィラメントで製織された。
【００２６】
また、よこ方向の材料と比較して、たて方向において使用されるモノフィラメントの材料を変化させることによって、巻きつけを増大し、または制御することが可能となる。材料を変化させることによって、設計者はモノフィラメントの弾性率を変えることができる。一方向または他方向に延びるモノフィラメントにおいて、より高いまたはより低い弾性係数を有する材料を使用することによって、巻きつく傾向を増大するか低減することが可能であり、織目およびモノフィラメントの相対的な直径と関連して、巻きつきを細かく調整できる。たとえば、たて軸を中心とした巻きつきを増大するために、比較的より低い引
張応力を有するよこ糸のモノフィラメントが使用され、よこ糸のモノフィラメントがたて糸モノフィラメントよりも可撓性を持つようになる。同様に、たて軸を中心とした巻きつけの傾向を弱めることが望まれると、より大きな引張応力を有するよこ糸モノフィラメントが使用されるであろう。
【００２７】
多くの材料が、本発明による自己巻きつき式のスリーブにおけるモノフィラメントとしての用途に適している。その材料は、綿等の天然繊維と同様に、ポリ（エチレン・テレフタラート）（ＰＥＴ、一種のポリエステル）と、ナイロン６およびナイロン６，６と、銀メッキナイロンと、オレフィンと、デラウェア州ウィルミントンのイー・アイ・デュポン・ドウ・ヌムール・アンド・カンパニー（Ｅ．Ｉ．ｄｕ  Ｐｏｎｔ  ｄｅ  Ｎｅｍｏｕｒｓ  ａｎｄ  Ｃｏｍｐａｎｙ）の登録商標であるノーメックス（ＮＯＭＥＸ）（登録商標）、および、デラウェア州ウィルミントンのイー・アイ・デュポン・ドウ・ヌムール・アンド・カンパニーの登録商標であるケブラー（ＫＥＶＬＡＲ）（登録商標）等のアラミドと、ポリ（エーテル・エーテル・ケトン）（ＰＥＥＫ）と、モダクリリックと、ガラス繊維と、炭素繊維と、アクリル繊維と、スパンデックスと、レーヨンと、アセテートと、ポリ（乳酸）（ＰＬＡ）と、ポリ（エチレン・ナフタレート）（ＰＥＮ、一種のポリエステル）と、メラミン（ドイツのＢＡＳＦ社（ＢＡＳＦ  Ａｋｔｉｅｎｇｅｓｅｌｌｓｃｈａｆｔ）の登録商標であるＢＡＳＯＦＩＬ（登録商標））と、フルオロカーボン樹脂とを含む。
【００２８】
さらなる特徴は、スリーブに熱を加えることである。特定の材料にとって、熱を加えることによってさらに巻きつくようになり、スリーブがさらに巻きつけられた構成にスリーブを保つことになる熱硬化性の作用も与えられる。
【００２９】
図１２は、斜文織を概略的に表す織目のマトリックスを示す。示される斜文織は、よこ方向に配向しているたて糸のモノフィラメント交錯位置のシェブロンパターンによって特徴づけられる。交錯位置は、たて糸とよこ糸のモノフィラメントの種々の交差部で「Ｘ」によって示される。さら注意されたいことは、段がたて糸のモノフィラメントを表し、列がよこ糸のモノフィラメントを表すことである。シェブロンパターンは基材（段１１および１２）の縁部まで続かず、バスケット織が導入されてきれいな縁部を作成する。
【００３０】
図１３は、シェブロンパターンがたて方向に沿って配向する斜文織を記載する。
図１４は、さらに別の実用的な巻きつけを引き起こす織目を示し、「Ｘ」符号によって示すたて糸のモノフィラメントの交錯位置が、基材のたて方向およびよこ方向の両方に対して斜めに走る。この模様は、図１５に示すような自己巻きつき式のスリーブの実施形態３８を作成し、基材４０がスリーブの長手方向軸４４の周囲を巻きつき、らせん状のもの４２となる。スリーブのたて要素４６およびよこ要素４８を備えるモノフィラメントは、軸４４に対してある角度で配向する。さらに注意されたいことは、図４から図１０および図１２から図１４におけるあらゆる略図に示す織目は、基材を形成しているモノフィラメントまたはモノフィラメント−マルチフィラメントのいかなる組合せによって使用されてもよいことである。
【００３１】
製織された基材の例が提供されるが、理解されることは、自己巻きつき式のスリーブは、たて編の間にフィラメントをよこに挿入することによって作製されることもまた可能であり、またはたて編だけにもよっても作製可能であり、基材を巻きつけるのに必要な不均衡が生じることである。
【００３２】
本発明の原理が本願明細書において記載されてきたが、当業者によって理解されるであろうことは、この説明は一例としてなされたものであり、本発明の範囲を制限するものでないということである。したがって、添付の特許請求の範囲によって、本発明の真の精神
および範囲内にある本発明のあらゆる変更をカバーすることを意図するものである。
【図面の簡単な説明】
【００３３】
【図１】本発明による自己巻きつき式のスリーブの斜視図である。
【図２】たておもての（ｗａｒｐ  ｆａｃｅｄ）基材の斜視図である。
【図３】よこおもての（ｆｉｌｌｉｎｇ  ｆａｃｅｄ）基材の斜視図である。
【図４】本発明による自己巻きつき式のスリーブのために使用される織目を説明する略図である。
【図５】本発明による自己巻きつき式のスリーブのために使用される織目を説明する略図である。
【図６】本発明による自己巻きつき式のスリーブのために使用される織目を説明する略図である。
【図７】本発明による自己巻きつき式のスリーブのために使用される織目を説明する略図である。
【図８】本発明による自己巻きつき式のスリーブのために使用される織目を説明する略図である。
【図９】本発明による自己巻きつき式のスリーブのために使用される織目を説明する略図である。
【図１０】本発明による自己巻きつき式のスリーブのために使用される織目を説明する略図である。
【図１１】自己巻きつき式のスリーブの別の実施形態の斜視図である。
【図１２】本発明による自己巻きつき式のスリーブのために使用される織目を説明する略図である。
【図１３】本発明による自己巻きつき式のスリーブのために使用される織目を説明する略図である。
【図１４】本発明による自己巻きつき式のスリーブのために使用される織目を説明する略図である。
【図１５】本発明による、図１４の織目に対応する自己巻きつき式のスリーブの、別の実施形態の斜視図である。
【図１】
2008507636.tif 000003
【図２】
2008507636.tif 000004
【図３】
2008507636.tif 000005
【図４】
2008507636.tif 000006
【図５】
2008507636.tif 000007
【図６】
2008507636.tif 000008
【図７】
2008507636.tif 000009
【図８】
2008507636.tif 000010
【図９】
2008507636.tif 000011
【図１０】
2008507636.tif 000012
【図１１】
2008507636.tif 000013
【図１２】
2008507636.tif 000014
【図１３】
2008507636.tif 000015
【図１４】
2008507636.tif 000016
【図１５】
2008507636.tif 000017
【国際調査報告】
2008507636.tif 000018